(57)【要約】【課題】  本発明は、光源として使用するLED素子にDC電源を供給するLED駆動装置をランプの本体に装着脱可能に設計して、LED駆動装置に異常が発生する場合、簡単に交換可能にする蛍光灯型LEDランプに関するものである。【解決手段】  本発明は、蛍光灯型LEDランプにおいて、上部カバーにAC電源が供給される端子を備え、LED駆動装置に上記端子と接続される溝で形成されたコネクタを備え、その結合を容易にすることによって、蛍光灯型LEDランプに異常が発生する場合、上記LEDランプ本体からLED駆動装置を容易に分離した後、正常に作動するLED駆動装置を結合させることによって、異常が発生した部分を容易且つ正確に判断できるので、迅速に解消することができる効果がある。【選択図】      図1
2010040494.tif 000002
【特許請求の範囲】
【請求項１】
LED素子を光源として使用する蛍光灯型LEDランプにおいて、
上記LED素子が一定間隔で固定配列され、複数のAC電源供給端子および複数のDC供給端子が形成された回路基板と、
上記回路基板がその下部に付着固定され、上記複数のAC電源供給端子および複数のDC供給端子が外部に露出するように結合孔が形成された上部カバーと、
上記回路基板の上側に備えられ、上記上部カバーに結合して上記LED素子から放出された光を拡散する拡散カバーと、
結合した上記拡散カバーと上記上部カバーの両端にはめ込まれて結合し、商用電源が上記AC電源供給端子に接続されるAC電源供給ラインが備えられた電気接続部と、
上記電気接続部と電気的に接続される一対の端子ピンが備えられており、上記電気接続部が外部環境から分離するように上記電気接続部の上部に結合する端子部と、
複数のDC電源供給端子が挿入接続する複数のコネクタが備えられ、上記コネクタを通じて供給されるAC電源をDC電源に変換し、上記DC供給端子を通じて上記LED素子の駆動電源に供給するLED駆動装置とを含み、
上記LED駆動装置は、上記上部カバーに装着脱可能に結合することを特徴とする蛍光灯型LEDランプ。
【請求項２】
上記蛍光灯型LEDランプは、
上記LED駆動装置の両側面に所定間隔で離隔された状態で結合部材によって、上記上部カバーに結合する放熱部材をさらに含むことを特徴とする請求項1に記載の蛍光灯型LEDランプ。
【請求項３】
上記放熱部材は、
複数の放熱ピンが形成されたことを特徴とする請求項2に記載の蛍光灯型LEDランプ。
【請求項４】
上記放熱ピンが形成された放熱部材は半円筒状であることを特徴とする請求項3に記載の蛍光灯型LEDランプ。
【請求項５】
上記上部カバーは「H」形状からなることを特徴とする請求項4に記載の蛍光灯型LEDランプ。
【請求項６】
上記AC電源供給端子またはDC電源供給端子と上記結合孔の間に防水部材が備えられていることを特徴とする請求項1に記載の蛍光灯型LEDランプ。
【請求項７】
上記回路基板は上部カバーの両側端部から所定間隔で離隔された状態で備えられ、上記電気接続部のAC電源供給ラインは上記回路基板と上部カバーの間に形成された空間の内側に位置することを特徴とする請求項1に記載の蛍光灯型LEDランプ。
【請求項８】
上記防水部材は絶縁材質からなることを特徴とする請求項6に記載の蛍光灯型LEDランプ。
【請求項９】
上記防水部材はオーリング形状であることを特徴とする請求項6に記載の蛍光灯型LEDランプ。
【請求項１０】
上記上部カバーと上記拡散カバーの結合面に防水部材が備えられていることを特徴とする請求項9に記載の蛍光灯型LEDランプ。
【請求項１１】
上記LED駆動装置は上部面および両側面が多数の放熱ピンで形成された放熱部材からなることを特徴とする請求項1に記載の蛍光灯型LEDランプ。
【請求項１２】
上記LED駆動装置は下部面に放熱パッドが備えられていることを特徴とする請求項11に記載の蛍光灯型LEDランプ。
【請求項１３】
上記回路基板に固定配列されたLED素子の離隔間隔は、LED素子の光放出角度によって、一定個数のLED素子から放出される光が重畳するように決定されることを特徴とする請求項1に記載の蛍光灯型LEDランプ。
【請求項１４】
上記拡散カバーは、その内側に上記LED素子から放出される光が重畳するように位置することを特徴とする請求項1に記載の蛍光灯型LEDランプ。
【請求項１５】
上記拡散カバーは、拡散物質を含有している材質からなることを特徴とする請求項14に記載の蛍光灯型LEDランプ。
【請求項１６】
上記LED素子を光源として使用するLEDランプの作動電圧は、100〜240Vであることを特徴とする請求項1に記載の蛍光灯型LEDランプ。
【発明の詳細な説明】
【技術分野】
【０００１】
本発明は、蛍光灯型LEDランプに関するものである。より詳細には光源として使用するLED素子にDC電源を供給するLED駆動装置がランプの本体に装着脱可能に設計して、LED駆動装置に異常が発生する場合、簡単に交換可能にする蛍光灯型LEDランプに関するものである。
【背景技術】
【０００２】
蛍光灯は、一般のスーパーや電気屋で手軽に購入できるだけでなく、価格も安価で設置方法が容易であるため、老若男女を問わず、誰でも設置が可能であり、看板業界だけでなく全照明業界で最も長い間、最も多く使用されてきた光源である。
【０００３】
しかし、蛍光灯の場合、黒点現象、短寿命などで交換が多く、色、形態などデザイン表現に限界があり、蛍光物質を使用するために、環境問題を重要視する照明市場の流れに反するため、次第に他光源に代替されている傾向にある。他光源として最も注目されているのはLED(LED,Light  Emitting  Diode)素子であり、これは1962年GaAsP化合物半導体を利用した赤色LED素子が商品化されたことをはじめとして、GaP:N系の緑色LED素子とともに今まで情報通信機器をはじめとする電子装置の表示用光源として用いられてきた。
【０００４】
また、1990年代中盤以降、GaN青色LED素子が開発され、天然色ディスプレイが製造可能になった。
【０００５】
代表的な利用分野としては、携帯電話の液晶表示素子やキーパッド用バックライトがあげられるが、これ以外にも屋外用大型電光掲示板、交通信号灯器、自動車の計器盤および尾灯、港湾、空港、高層ビルディングの警告灯および誘導灯など、多様なところに使用されている。
【０００６】
また、LED素子は、半導体の迅速な処理速度と低い電力消耗などの長所とともに、環境にやさしくて省エネルギー効果が高いため、次世代国家戦略品目として注目されている。
【０００７】
また、LED素子の長所は、既存の光源に比べて極小型であり、消費電力が低く、寿命が既存の電球に比べて10倍以上であり、反応速度が速く、既存の光源に比べて非常に優れた特性を有している。また、紫外線のような有害波の放出がなく、水銀およびその他放電用ガスを使用しない環境問題を考慮した光源である。
【０００８】
しかし、LED素子はエネルギーが光の形態だけでなく、熱の形態でも放出されるため、高温になりやすい特性を有する。高温を冷却させるためにLEDランプの外部に通孔を構成する形態のランプが一部あるが、通孔を通じて流入した埃やその他害虫などによって、LEDランプの効率が著しく減少する。また、放熱による高温のためLEDの寿命が減少するため、LEDの発熱を冷却させるための研究は持続的に行われている。
【０００９】
また、LED素子の光は直進性があり、LED素子の真下は非常に明るいが、周辺は暗い。したがって、一般ランプとして使用するためにはLED素子の直進性が強い光を拡散させることができる別途の装置が必要である。
【発明の開示】
【発明が解決しようとする課題】
【００１０】
これにより、本発明は、従来技術の問題点を解消し、必要性により案出されたもので、本発明は、光源として使用するLED素子にDC電源を供給するLED駆動装置が電灯の本体に装着脱可能に設計して、LED駆動装置に異常が発生する場合、簡単に交換可能にする蛍光灯型LEDランプを提供することを目的とする。
【００１１】
また、本発明は、LED駆動装置をLEDランプ本体外部に装着させることによって、LED駆動装置が作動するとき発生する熱による影響を最小化することができる蛍光灯型LEDランプを提供することを目的とする。
【００１２】
また、本発明は、光源として使用するLED素子を外部から隔離可能なカバーを拡散物質が含まれた材質からなる部材を用いて製作することによって、別途の拡散板、または拡散フィルムを備えなくてもLED素子から放出される光がスムーズに拡散し、LED素子の残像などを未然に除去できるようにする蛍光灯型LEDランプを提供することを目的とする。
【課題を解決するための手段】
【００１３】
上記目的を達成するために、本発明の実施例は、LED素子を光源として使用する蛍光灯型LEDランプにおいて、上記LED素子が一定間隔で固定配列され、複数のAC電源供給端子、および複数のDC供給端子が形成された回路基板と、上記回路基板がその下部に付着固定され、複数のAC電源供給端子、および複数のDC供給端子が外部に露出するように結合孔が形成された上部カバーと、上記回路基板の上側に備えられ、上記上部カバーに結合し、上記LED素子から放出された光を拡散する拡散カバーと、結合した上記拡散カバーと上記上部カバーの両端にはめ込まれて結合し、商用電源が上記AC電源供給端子に接続されるAC電源供給ラインが備えられた電気接続部と、上記電気接続部と電気的に接続される一対の端子ピンが備えられており、上記電気接続部が外部環境から分離するように上記電気接続部の上部に結合する端子部と、上記複数のAC電源供給端子および複数のDC電源供給端子が挿入接続される複数のコネクタが備えられ、上記コネクタを通じて供給されるAC電源をDC電源に変換して、上記DC供給端子を通じて上記LED素子の駆動電源に供給するLED駆動装置とを含み、上記LED駆動装置は上記上部カバーに装着脱可能に結合することを特徴とする。
【発明の効果】
【００１４】
したがって本発明は、上部カバーにAC電源が供給される端子を備え、LED駆動装置に上記端子と接続される溝で形成されたコネクタを備えて、その結合を容易にすることによって、蛍光灯型LEDランプに異常が発生する場合、上記LEDランプ本体からLED駆動装置を容易に分離した後、正常に作動するLED駆動装置を結合することによって、異常が発生した部分を容易且つ正確に判断できるので、迅速に解消することができる効果がある。
【００１５】
また、本発明は、LED駆動装置をLEDランプ本体の外部に装着することによって、LED駆動装置が作動するとき発生する熱による影響を最小化することができる効果がある。
【００１６】
また、本発明は、光源として使用するLED素子を外部から隔離可能なカバーを拡散物質が含まれた材質からなる部材を用いて製作することによって、別途の拡散板、または拡散フィルムを備えなくてもLEDから放出される光がスムーズに拡散し、LED素子の残像などを未然に除去できるようにするという効果がある。
【発明を実施するための最良の形態】
【００１７】
以下、本発明の一実施例を添付図面により詳しく説明する。ただし、本発明は本実施例に限定されるものではない。
【００１８】
上部に上部カバー20を位置させ、上部カバー20の下部に拡散カバー30を位置させるが、外部から加圧される力によって、拡散カバー30を上部カバー20にはめ込んで結合させる。
【００１９】
これにより、本発明が適用された蛍光灯型LEDランプは従来の蛍光灯と同様の形状を有し、既存設置されている蛍光灯装置の接続端子に本発明が適用された蛍光灯型LEDランプ100の端子ピン51、52を結合させることによって、従来の蛍光灯設置方式と同一の方式で設置することができる。
【００２０】
上記LED素子を光源として使用する蛍光灯型LEDランプについて、図1ないし図3を参照して説明する。
【００２１】
図1は本発明が適用された蛍光灯型LEDランプの分解斜視図である。図1に示すように、LED素子を光源として使用する蛍光灯型LEDランプ100は、LED素子11が一定間隔で固定配列され、複数のAC電源供給端子12、13および複数のDC電源供給端子14、15が形成された回路基板10と、回路基板10がその下部に付着固定され、複数のAC電源供給端子12、13および複数のDC電源供給端子14、15が外部に露出するように結合孔25が形成された上部カバー20と、回路基板10の上側に備えられ、上部カバー20に結合し、LED素子11から放出された光を拡散する拡散カバー30と、結合した拡散カバー30と上部カバー20の両端にはめ込まれて結合し、商用電源がAC電源供給端子12、13に接続されるAC電源供給ライン41が備えられた電気接続部40と、電気接続部40と電気的に接続される一対の端子ピン51、52が備えられており、電気接続部40が外部環境から分離するように電気接続部40の上部に結合する端子部50と、上記複数のAC電源供給端子12、13および複数のDC電源供給端子14、15が挿入接続される複数のコネクタ61〜64が備えられ、コネクタ61〜64を通じて供給されるAC電源をDC電源に変換し、DC電源供給端子14、15を通じて、上記LED素子の駆動電源として供給するLED駆動装置60と、LED駆動装置60の両側面に所定間隔で離隔された状態で結合部材によって、上部カバー20に結合する放熱部材70とで構成される。
【００２２】
LED駆動装置60は外部から加圧される力によって、上部カバー20に装着脱可能に結合する。
【００２３】
放熱部材70は複数の放熱ピン71が形成されており、半円筒状で、拡散カバー30と結合する場合、チューブ形状を有するようになる。
【００２４】
上部カバー20は「H」形状からなることが望ましい。上部カバー20にはAC電源供給端子12、13またはDC電源供給端子14、15と結合孔25の間に防水部材26が備えられ、防水部材26はオーリング形状を有し、絶縁材質からなる。
【００２５】
回路基板10は上部カバー20の両側端部から所定間隔で離隔された状態で備えられ、電気接続部40のAC電源供給ライン41は回路基板10と上部カバー20の間に形成された空間の内側に位置する。上部カバー20と拡散カバー30の結合面に防水部材80が備えられ、防水部材80は防水テープである。
【００２６】
LED駆動装置60は上部面および両側面が多数の放熱ピン60aからなる放熱部材で構成され、その下部面には放熱パッド60bが備えられる。
【００２７】
回路基板10に固定配列されたLED素子11の離隔間隔はLED素子11の光放出角度によって、一定個数のLED素子11から放出される光が重畳するように決定される。
【００２８】
拡散カバー30はその内側にLED素子11から放出される光が重畳するように位置することが望ましい。拡散カバー30は、拡散物質を含有している材質からなることが望ましい。
【００２９】
LED素子11を光源として使用するLEDランプの作動電圧は100〜240Vである。
【００３０】
上記のように構成されたLED素子を光源として使用する蛍光灯型LEDランプの作用について説明する。
【００３１】
複数個のLED素子11が所定間隔で離隔配列された回路基板10のAC電源供給端子12、13およびDC電源供給端子14、15が上部カバー20に形成された結合孔25を通じて外部に露出された状態で、回路基板10が上部カバー20に結合するようにする。このときの結合方式はねじなどのような固定部材や、接着剤などのような接着部材を用いても良い。
【００３２】
このとき、LED素子11から放出される光の重畳地点が拡散カバー30の内側に位置するように、回路基板10が拡散カバー30と離隔された状態で上部カバー20に結合し、光の重畳地点までの距離dは回路基板10の厚さを調節することによって調節することができる。 
上記のように複数のLED素子11間の離隔間隔および回路基板10から拡散カバー30の中心点までの距離を光の重畳および重畳した距離を利用して決定することによって、LED素子11が点灯する場合、拡散カバー30の外部面にLED素子11の形状や残像が現れなくなる。
【００３３】
上記のように上部カバー20に回路基板10を結合させた後、拡散カバー30を上部カバー20の下端部から加圧によって結合させる。このとき、上部カバー20と拡散カバー30を結合させる前に、上部カバー20と拡散カバー30が密着する面に防水テープ80を貼着させ、内側に蒸気などのような水分が浸透しないようにする。
【００３４】
この結合過程の場合、生産工程時には別途に形成された結合ジグによって行われる。
【００３５】
上記のように上部カバー20と拡散カバー30を結合させた後、上部カバー20の両端部に半円筒状の放熱部材70を接着剤などのような接着部材を用いて、貼着させる。それで両端部は一般的な蛍光灯のようにチューブ形態の円筒形状を有するようになる。
【００３６】
放熱部材70を上部カバー20に貼着した後、放熱部材70と拡散カバー30の結合によって形成されたチューブ形態の両先端に電気接続部40をまずはめ込み、電気接続部40の上部に端子部50を被せて、電気接続部40を外部環境から隔離させる。このとき、端子部50には、電気接続部40と電気的に結合して商用電源が供給され、電気接続部40のAC電源供給ライン41およびAC電源供給端子12、13を通じて、LED駆動装置60に供給するための端子ピン51、52が備えられる。
【００３７】
このとき、放熱部材70および拡散カバー30が密着する電気接続部40の外側面には図示を省略したが、防水テープが貼着しているため、電気接続部40が放熱部材70および拡散カバー30にさらに密着結合し、空気中にある水分が浸透しないようにする。
【図面の簡単な説明】
【００３８】
【図１】本発明による蛍光灯型LEDランプの斜視図である。
【図２】本発明による蛍光灯型LEDランプの正断面図である。
【図３】本発明による蛍光灯型LEDランプの側断面図である。
【図４】本発明によるLED駆動装置の他の実施例を図示した図である。
【図５】本発明によるLED素子から放出される光の重畳地点を説明するための図である。
【符号の説明】
【００３９】
10    回路基板
11    LED素子
12、13  AC電源供給端子  
14、15  DC電源供給端子  
20    上部カバー
25    結合孔
30    拡散カバー
40    電気接続部
41    AC電源供給ライン
50    端子部
51、52  端子ピン
60    LED駆動装置
61〜64  コネクタ
70    放熱部材
80    防水部材
100  蛍光灯型LEDランプ
【図１】
2010040494.tif 000003
【図２】
2010040494.tif 000004
【図３】
2010040494.tif 000005
【図４】
2010040494.tif 000006
【図５】
2010040494.tif 000007